(57)【要約】【課題】  実際の設置場所を把握することが困難であったり、接続構成が複雑なネットワーク機器について故障時やリプレース時にそれらを把握するために多くの時間を費やし、迅速な対応が行えない。【解決手段】  通信機器とネットワークにより接続されるネットワーク機器応答装置であって、受信した通信を解析する通信解析部と、前記通信解析部からの指示により発音または発光する発音発行部とを備え、前記通信機器より返信要求を含めたパケットを受取った際、前記通信解析部は前記パケットを解析し、前記パケットに発音動作または発光動作を指示する情報があると判定した場合、前記発音発光部に発音動作または発光動作を指示し、前記指示を受けた前記発音発光部は発音動作または発光動作をすることを特徴とするネットワーク機器応答装置。【選択図】  図１
2013131792.tif 000002
【特許請求の範囲】
【請求項１】
通信機器とネットワークにより接続されるネットワーク機器応答装置であって、
受信した通信を解析する通信解析部と、前記通信解析部からの指示により発音または発光する発音発行部とを備え、
前記通信機器より返信要求を含めたパケットを受取った際、前記通信解析部は前記パケットを解析し、
前記パケットに発音動作または発光動作を指示する情報があると判定した場合、前記発音発光部に発音動作または発光動作を指示し、前記指示を受けた前記発音発光部は発音動作または発光動作をすることを特徴とするネットワーク機器応答装置。
【請求項２】
前記パケットはＩＣＭＰパケットであることを特徴とする請求項１に記載のネットワーク機器応答装置。
【請求項３】
前記パケットに含まれる発光動作または発音動作を指示する情報は、発光動作のみ或いは発音動作のみ、または発光動作および発音動作を指示する情報であることを特徴とする請求項１記載のネットワーク機器応答装置。
【請求項４】
通信機器とネットワークにより接続されるネットワーク装置であって、
受信した通信を解析する通信解析部と、前記通信解析部からの指示により発音または発光する発音発行部と、該ネットワーク装置に接続する機器の情報を記憶する記憶部とを備え、
前記通信機器より返信要求を含めたフレームを受取った際、前記通信解析部は前記フレームを解析し、
前記フレームに前記記憶部に記憶された情報が含まれているか否かを判断し、含まれていると判断した場合、
前記フレームに発音動作または発光動作を指示する情報の有無を判定し、発音動作または発光動作を指示する情報がある場合、前記発音発光部に発音動作または発光動作を指示し、前記指示を受けた前記発音発光部は発音動作または発光動作をすることを特徴とするネットワーク機器応答装置。
【請求項５】
前記接続する機器の情報はＭＡＣアドレスであり、前記フレームはＭＡＣフレームであることを特徴とする請求項４に記載のネットワーク機器応答装置。
【請求項６】
前記フレームに含まれる発光動作または発音動作を指示する情報は、発光動作のみ或いは発音動作のみ、または発光動作および発音動作を指示する情報であることを特徴とする請求項４記載のネットワーク機器応答装置。
【請求項７】
通信機器とネットワークにより接続されるネットワーク装置を備えたネットワークシステムであって、
前記ネットワーク装置は、受信した通信を解析する通信解析部と、前記通信解析部からの指示により発音または発光する発音発行部と、該ネットワーク装置に接続する機器の情報を記憶する記憶部とを備え、
前記通信機器は、前記ネットワーク装置に発光動作または発音動作を指示する情報含めた返信要求情報を送信し、
前記ネットワーク装置は、前記通信機器より前記返信要求情報を受取った際、前記返信要求情報を解析し、前記返信要求情報に発音動作または発光動作を指示する情報の有無を判定し、発音動作または発光動作を指示する情報がある場合、前記発音発光部に発音動作または発光動作をさせることを特徴とするネットワーク機器応答システム。
【発明の詳細な説明】
【技術分野】
【０００１】
本発明は、ネットワーク機器応答装置およびネットワーク機器応答システムに関する。
【背景技術】
【０００２】
パソコン、プリンタ等のユーザ端末を接続するスイッチ等のネットワーク機器は、条件の良い場所に設置されるのではなく、床に直置き、机の側面に貼付、フリーアクセスセス内に設置等、ユーザにとって都合のいい場所に設置される事が多い。これにより、必ずしも目に見える場所に設置されるとは限らず、実際に導入した機器の場所を把握することが困難である場合が多かった。また、使用途中でユーザの都合のいい場所へ移動されている場合があり、導入時に設置した場所を把握していても、実際には違う場所へ移動されている場合がある。更に、ラックに搭載したネットワーク機器についても、複雑なケーブル配線等により各機器の接続状態が把握できない場合がある。
【０００３】
本技術分野の背景技術として、特開平６−２４４８４１１号公報がある。この公報には、「天井、壁、床、家具のいずれかに組み込まれて、ユーザの視野に入らない場所に設置されているＨＵＢにおいて、外部からリピータ部に電源を供給する電源入力部と、電源供給が遮断されたときのための予備電源と、予備電源への切替手段と、聴覚に訴えることにより電源が遮断されたことを知らせる警報手段とを備える。」と記載されている。
【０００４】
また、特開２００８−１８６１５９０号公報がある。この公報には、「ユーザ端末と、操作対象端末と、がネットワークにて相互接続されて構成される。ユーザ端末は、色情報決定部と、通信部と、表示部と、発光指示部と、対応情報管理部と、色情報テーブルと、を備え、操作対象端末は、色情報管理部と、通信部と、発光部と、情報記憶部と、色情報テーブルと、を備える。操作対象端末の発光部は、ユーザ端末にて操作対象端末が探索されて点灯する。ユーザ端末には操作対象端末の発光色と同一の色が表示されており、操作対象端末の設置場所の発見を容易にする」と記載されている。
【０００５】
また、特開２００１−３２０３９３号公報がある。この公報には、「集線装置を、そのポートに接続されている機器を少なくともＭＡＣアドレスと対応づけたＩＤテーブルを作成し記憶するだけでなく、ネットワーク管理装置ＮＷからの問い合わせに応じて出力可能なインテリジェントスイッチＳＷとして構成する。ネットワーク管理装置は、これらインテリジェントスイッチＳＷに対して問い合わせを行なうことにより得られた情報と、ネットワーク上の機器から取得した情報とを用いて、各インテリジェントスイッチＳＷのポート間の接続を認識する。その後、これを、階層的に画像表示する。」と記載されている。
【先行技術文献】
【特許文献】
【０００６】
【特許文献１】特開平６−２４４８４１
【特許文献２】特開２００８−１８６１５９０
【特許文献３】特開２００１−３２０３９３
【発明の概要】
【発明が解決しようとする課題】
【０００７】
ネットワーク機器のリプレースを実施した際、実際に設置している場所が分からず、ケーブルを辿ったりフリーアクセスを開閉する等して機器の設置場所を確認するために多くの時間を費やしていた。また、ネットワーク機器が故障した際、実際に設置されている場所や、他の機器との接続状態が把握できず、障害切り分けに多くの時間を費やし、迅速な対応が行えない。
【０００８】
また、特許文献１では、対象となるネットワーク機器が電源断となった際に警報機能が作動するＨＵＢについて記載があるが、ネットワーク機器の障害は電源断以外にもポート障害等の部分障害が想定され、それらについては対応していない。また、電源断とならない限り警報が鳴らないため、通常時は機器の設置場所を把握することが難しい。
【０００９】
また、特許文献２では、端末画面上に表示された利用可能なネットワーク機器について、その機器が設置されている場所を特定するためにユーザが指定した色で発光させることにより機器設置場所を特定するシステムについて記載があるが、発光方法についての特許であり、ネットワーク機器との通信方法や実現方法等の発光条件については具体的に明記されていない。また、発光のみではフリーアクセス等目に見えない場所に設置されているネットワーク機器や発光箇所が確認できないネットワーク機器については設置場所を特定する事が難しいという問題点がある。
【００１０】
また、特許文献３では、ネットワーク機器がどのポートに接続されているかというネットワーク構成情報を自動的に収集する集線装置についての記載があり、ユーザ端末上でネットワーク機器間の接続構成を把握することが出来るが、あくまで画面上で確認するのみであり、実際の設置場所については把握することは出来ないという問題点がある。
【００１１】
そこで、本発明は、自らの位置を通知するネットワーク応答機器およびそれを用いたネットワーク応答機器システムを提供する。例えば、エコー要求を発行しそのエコー応答を返す際に発音または発光することで自らの位置を通知するネットワーク応答機器を提供する。
【課題を解決するための手段】
【００１２】
上記課題を達成するための手段を複数含んでいるが、例えば特許請求の範囲に記載の構成を採用する。その一例を挙げるならば、通信機器とネットワークにより接続されるネットワーク機器応答装置であって、受信した通信を解析する通信解析部と、前記通信解析部からの指示により発音または発光する発音発行部とを備え、前記通信機器より返信要求を含めたパケットを受取った際、前記通信解析部は前記パケットを解析し、前記パケットに発音動作または発光動作を指示する情報があると判定した場合、前記発音発光部に発音動作または発光動作を指示し、前記指示を受けた前記発音発光部は発音動作または発光動作をすることを特徴とする。
【発明の効果】
【００１３】
本発明によれば、リプレース等によってネットワーク機器の設置場所を把握する際、容易に機器の設置場所や接続構成を確認する事が出来るため、作業時間を短縮することが可能であり、ネットワーク機器の障害対応を実施する際に迅速に対応する事が可能である。これらにより、作業工数の削減、利便性向上が期待できる。
上記した以外の課題、構成及び効果は、以下の実施形態の説明により明らかにされる。
【図面の簡単な説明】
【００１４】
【図１】発光または発音を行うネットワーク機器と外部通信機器を示したブロック図である。
【図２】ＩＣＭＰパケットの構造を示した図である。
【図３】発光または発音動作を示すフローチャートである。
【図４】ＭＡＣフレームの構造を示した図でる。
【図５】発光または発音動作を示すフローチャートである。
【発明を実施するための形態】
【００１５】
以下、図面を参照して本実施の形態を説明する。
【実施例１】
【００１６】
図１は本実施例において発光または発音を行うネットワーク機器１０１のブロック図である。発音または発光を実施するネットワーク機器１０１は、ネットワーク１０６を介して外部通信機器１０５と通信を行う機能を持つ通信部１０２、通信部１０２経由で受信したパケットについて解析を行い、発音または発光の対象となるパケットを受け取った場合は発音または発光部１０４へ指示を出す機能を持つ通信解析部１０３、通信解析部１０３からの指示に従い発音または発光を行う機能を持つ発音または発光部１０４から構成される。
【００１７】
本実施形態によれば、ネットワーク機器１０１は受け取ったパケットの種別を判別し、発音または発光の契機となるＩＣＭＰパケットを受信したときのみ発音または発光を行い、自らの位置を通知する。
【００１８】
図２は本実施例において発音または発光の契機となるＩＣＭＰパケットの構造を示した図である。ＩＣＭＰパケットは、パケットの機能や種類を表すタイプ２０１、タイプ２０１より詳細な機能を設定する場合に使用するコード２０２、パケットデータの相関チェックを行うチェックサム２０３、タイプ２０１の種別によって可変長のデータを格納するデータ部２０４から構成される。ＩＣＭＰパケットを利用した応答確認としてｐｉｎｇがある。これはネットワーク機器１０１において受信したパケットのタイプ２０１がエコー要求であった場合、タイプ２０１をエコー応答として外部通信機器１０５へ応答を返すことで応答確認を行っている。
【００１９】
本実施例では、データ部２０４の未使用フィールド内に発音または発光動作を指示するフラグを実装し、本フラグを用いて発音または発光を指示する。具体的には、外部通信機器１０５においてエコー要求を送信する際に発音または発光動作を指示するフラグを設定する。これにより、本機能を実装したＩＣＭＰパケットを受信したネットワーク機器１０１にて発音または発光動作を行う事が可能である。
【００２０】
図３は本実施形態によるネットワーク機器１０１の発音または発光動作を説明するフローチャートである。ネットワーク機器１０１の通信部１０２において何らかのパケットを受信すると（ステップ３０１）、情報解析部１０３にてＩＣＭＰパケットであるかの確認を行う（ステップ３０２）。
【００２１】
ＩＣＭＰパケットでなければ情報解析部１０３において処理を行わず終了するが（ステップ３０２：ＮＯ）、ＩＣＭＰパケットであった場合（ステップ３０２：ＹＥＳ）は、前述の発音または発光動作を指示するフラグを確認し、発光または発音の対象であるか確認を行う（ステップ３０３）。
【００２２】
確認の結果、発光または発音の対象でない場合はステップ３０５へ進み（ステップ３０３：ＮＯ）、対象となる場合はステップ３０４へ進む（ステップ３０３：ＹＥＳ）。なお、発音、発光、発音と発光を同時に行う等の動作パターンについても発音または発光動作を指示するフラグで指定できるものとし、ユーザが状況に応じて必要な動作を選択する事が可能である。
【００２３】
ステップ３０４では、発音または発光部１０４において実際に発音または発光を行い、ステップ３０５ではＩＣＭＰパケットのタイプ２０１をエコー応答として、外部通信機器１０５へ応答を返す。
【００２４】
以上より、ＩＣＭＰパケットのデータ部の未使用フィールドを利用して、応答を返す際に指定があった場合にのみ発音または発光を行う事により、ネットワーク機器１０１は自らの位置を発音または発光によりユーザに通知するシステムを実現する。これにより、リプレース等によってネットワーク機器の設置場所を把握する際、容易に機器の設置場所や接続構成を確認する事が出来る。
【実施例２】
【００２５】
本実施例では、ＩＰアドレスを持たないレイヤ２のスイッチやＨＵＢ等についてはＭＡＣアドレスを使用し、ｐｉｎｇやｔｒａｃｅｒｏｕｔｅコマンドを用いて発音または発光動作を実現する。
【００２６】
本実施例では、図１のネットワーク機器１０１がレイヤ２のスイッチまたはＨＵＢ等ＩＰアドレスを持たない機器である場合を対象とする。外部通信機器１０５から到達確認要求を対象となるネットワーク機器１０１に送信し、その応答となる経路確認要求をネットワーク機器１０１から外部通信機器１０５へ送信し、これを受信することでレイヤ２におけるｐｉｎｇを実現する。本実施例の場合、図４に示すＭＡＣフレームが外部通信機器１０５より送信された場合に、発光または発音を行うか否かを送信されたＭＡＣフレームの宛先ＭＡＣアドレス４０２を用いて決定する。
【００２７】
まず、図４を用いて本実施例における外部通信機１０５より送信されるＭＡＣフレームの構成を説明する。ＭＡＣフレームは、プリアンブル４０１、宛先ＭＡＣアドレス４０２と送信元ＭＡＣアドレス４０３からなるヘッダ部、フレームのフォーマットを示す長さ４０４、可変長のデータを格納できるデータ部４０５、データのエラーチェックに用いられるＦＣＳ（Ｆｒａｍｅ Ｃｈｅｃｋ Ｓｅｑｕｅｎｃｅ）４０６からなる。上述した実施例１と同様にデータ部４０５の未使用部に発光または発音動作を指示するフラグが含まれる。
【００２８】
本実施例における発行または発音動作について、図５のフローチャートを用いて説明する。ネットワーク機器１０１の通信部１０２がＭＡＣフレームを受信すると（ステップ５０１）、通信解析部１０３にて受信したＭＡＣフレームの宛先ＭＡＣアドレス４０２がネットワーク機器１０１が有するＭＡＣアドレステーブルにあるＭＡＣアドレスが含まれているかの確認を行う（ステップ５０２）。なお、ＭＡＣアドレステーブルは図示しない記憶装置にて記憶されている。
【００２９】
宛先ＭＡＣアドレス４０２がＭＡＣアドレステーブルに含まれていない場合（ステップ５０２：ＮＯ）、受信したフレームを破棄し終了する。宛先ＭＡＣアドレス４０２がＭＡＣアドレステーブルに含まれている場合（ステップ５０２：ＹＥＳ）、ＭＡＣフレームのデータ部４０５に発光または発音動作を指示するフラグを確認する（ステップ５０３）。
【００３０】
確認の結果、発光または発音動作の対象でない場合はステップ５０５へ進み（ステップ５０３：ＮＯ）、対象となる場合はステップ５０４へ進む（ステップ５０３：ＹＥＳ）。なお上述するＩＣＰＭパケットを対象とした実施例と同様、発音、発光、発音と発光を同時に行う等の動作パターンについても発音または発光動作を指示するフラグで指定できるものとし、ユーザが状況に応じて必要な動作を選択する事が可能である。
【００３１】
ステップ５０４では、発音または発光部１０４において実際に発音または発光を行い、ステップ５０５では外部通信機器１０５へＭＡＣフレームを返信し（ステップ５０５）、処理を終了する。
【００３２】
以上より、ＭＡＣフレームのデータ部４０５の未使用フィールドを利用して、応答を返す際に指定があった場合にのみ発音または発光を行う事により、ネットワーク機器１０１は自らの位置を発音または発光によりユーザに通知するシステムを実現する。これにより、リプレース等によってネットワーク機器の設置場所を把握する際、容易に機器の設置場所や接続構成を確認する事が出来る。
【００３３】
なお、ＭＡＣアドレスからネットワーク機器１０１の各ポート特定が可能なため、各ポートを発光させることにより、部分的な障害にも対応可能である。
【００３４】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものではない。また、各実施例の構成の一部について、他の構成の追加、削除、置換をすることが可能である。
【００３５】
また、制御線や情報線あ説明上必要と考えられるものを示しており、製品上必ずしも全ての制御線や情報線を示しているとは限らない。実際には殆ど全ての構成が相互に接続されていると考えてよい。
【符号の説明】
【００３６】
１０１：ネットワーク機器
１０２：通信部
１０３：通信解析部
１０４：発音または発光部
１０５：外部通信機器
１０６：ネットワーク
２０１：タイプ
２０２：コード
２０３：チェックサム
２０４：データ部
４０１：プリアンブル
４０２：宛先ＭＡＣアドレス
４０３：送信元ＭＡＣアドレス
４０４：長さ
４０５：データ部
４０６：ＦＣＳ
【図１】
2013131792.tif 000003
【図２】
2013131792.tif 000004
【図３】
2013131792.tif 000005
【図４】
2013131792.tif 000006
【図５】
2013131792.tif 000007